(57)【要約】【課題】光拡散シートなどのシート材に皺が寄りにくく、シート材の張力による影響を受けても美観を損なわない点検口を提供する。【解決手段】開口部Ｈに固定される外枠２と、この外枠２に開閉自在な内枠３と、この内枠３の内側に張られる光拡散シート４４と、この光拡散シート４４を上記内枠３の内側で張るための押さえ部材４５とを備えた点検口１であって、上記押さえ部材４５が枠状に形成され、上記内枠３が、上記光拡散シート４４が張られた上記押さえ部材４５を保持するとともに、当該押さえ部材４５を固定しないものである。【選択図】図２
2015175198.tif 000002
【特許請求の範囲】
【請求項１】
開口部に固定される外枠と、この外枠に開閉自在な内枠と、この内枠の内側に張られるシート材と、このシート材を上記内枠の内側で張るための押さえ部材とを備えた点検口であって、
上記押さえ部材が枠状に形成され、
上記内枠が、上記シート材が張られた上記押さえ部材を保持するとともに、当該押さえ部材を固定しないものであることを特徴とする点検口。
【請求項２】
押さえ部材に載置されるパネル材を備えたことを特徴とする請求項１に記載の点検口。
【請求項３】
枠状の押さえ部材の周方向に、シート材の周縁部を入れる溝部が形成され、
上記溝部に嵌め込まれて上記シート材を押さえるとともに、上記押さえ部材に固定される固定具を備えたことを特徴とする請求項１または２に記載の点検口。
【請求項４】
固定具が、横断面が略Ｌ字形で、幅狭板およびこれに略直交する幅広板を有するアングル材であり、
上記幅狭板が、押さえ部材の溝部に嵌め込まれる部分であり、
上記幅広板が、押さえ部材に固定される部分であることを特徴とする請求項３に記載の点検口。
【発明の詳細な説明】
【技術分野】
【０００１】
本発明は、点検口に関するものである。
【背景技術】
【０００２】
点検口には、天井の開口部に設けられる天井点検口や、壁の開口部に設けられる壁点検口などがある。このような点検口は、開口部の縁に固定される外枠と、この外枠の内側に設けられるとともに当該外枠から開閉自在な内枠とを有する。そして、点検口は、点検時に内枠が外枠から開かれて、開口部から天井や壁の裏側を点検し得るようにされている。
【０００３】
上記点検口のうち、特に天井点検口では、放光のために、内枠の内側に光拡散シートが張られるものの、この光拡散シートに皺が寄りやすいという問題がある。このため、この問題を解消するような天井点検口が提案されている（例えば、特許文献１参照）。
【先行技術文献】
【特許文献】
【０００４】
【特許文献１】特開２０１３−１３６８７１号公報
【発明の概要】
【発明が解決しようとする課題】
【０００５】
しかしながら、上記特許文献１に記載の天井点検口は、光拡散シートの周縁部を押さえ部材で内枠に固定する構造なので、図１１に示すように、内枠３が光拡散シート４４の張力に負けて内側に反ることもあり、この場合、外枠２と内枠３との間に隙間Ｓが生ずるなど、美観が損なわれるという新たな問題がある。
【０００６】
そこで、本発明は、光拡散シートなどのシート材に皺が寄りにくく、シート材の張力による影響を受けても美観を損なわない点検口を提供することを目的とする。
【課題を解決するための手段】
【０００７】
上記課題を解決するため、本発明の請求項１に係る点検口は、開口部に固定される外枠と、この外枠に開閉自在な内枠と、この内枠の内側に張られるシート材と、このシート材を上記内枠の内側で張るための押さえ部材とを備えた点検口であって、
上記押さえ部材が枠状に形成され、
上記内枠が、上記シート材が張られた上記押さえ部材を保持するとともに、当該押さえ部材を固定しないものである。
【０００８】
また、本発明の請求項２に係る点検口は、請求項１に記載の点検口において、押さえ部材に載置されるパネル材を備えたものである。
さらに、本発明の請求項３に係る点検口は、請求項１または２に記載の点検口における枠状の押さえ部材の周方向に、シート材の周縁部を入れる溝部が形成され、
上記溝部に嵌め込まれて上記シート材を押さえるとともに、上記押さえ部材に固定される固定具を備えたものである。
【０００９】
また、本発明の請求項４に係る点検口は、請求項３に記載の点検口における固定具が、横断面が略Ｌ字形で、幅狭板およびこれに略直交する幅広板を有するアングル材であり、
上記幅狭板が、押さえ部材の溝部に嵌め込まれる部分であり、
上記幅広板が、押さえ部材に固定される部分であるものである。
【発明の効果】
【００１０】
上記点検口によると、シート材の皺寄りを防止することができるとともに、シート材の張力による影響を受けても、美観を維持することができる。
【図面の簡単な説明】
【００１１】
【図１】本発明の実施の形態に係る天井点検口およびその周辺の概略断面図である。
【図２】同天井点検口の内枠が閉じられた状態における断面図である。
【図３】同天井点検口の内枠が開かれた状態における断面図である。
【図４】同天井点検口を室内（下）側から見た底面図である。
【図５】同内枠におけるヒンジとして機能する辺の周辺を示す拡大断面図である。
【図６】同辺に対向する辺の周辺を示す拡大断面図である。
【図７】同天井点検口の製造方法を説明するための断面図であり、光拡散シートに押さえ部材を載置した状態を示す。
【図８】同天井点検口の製造方法を説明するための断面図であり、放光部を構成する状態を示す。
【図９】同天井点検口の製造方法を説明するための断面図であり、内枠の内側に放光部を載置する状態を示す。
【図１０】同天井点検口の製造方法を説明するための断面図であり、内枠の内側に載置された放光部に、虫除パネルを載置する状態を示す。
【図１１】光拡散シートの張力に負けた従来の天井点検口を室内（下）側から見た底面図である。
【発明を実施するための形態】
【００１２】
以下、本発明の実施の形態に係る点検口について図面に基づき説明する。なお、本実施の形態では、点検口の一例として、天井点検口について説明する。
図１に示すように、この天井点検口１は、天井Ｃの開口部Ｈに設けられて、天井Ｃの裏側の点検や、天窓Ｗなどからの放光に用いられるものである。また、図２および図４に示すように、上記天井点検口１は、上記開口部Ｈの縁に固定された矩形状の外枠２と、この外枠２の内側に設けられた矩形状の内枠３とを備える。上記外枠２は、枠状体であり、その内側を内枠３が収まる空間にされている。上記内枠３は、図２および図３に示すように、外枠２に対して開閉自在にされている。具体的には、矩形状の内枠３を構成する四辺のうち、一辺３Ａがヒンジとして機能し、これに対向する辺３Ｂが開くようにされている。また、上記内枠３は、外枠２と同様に枠状体であり、その内側に光拡散シート４４（シート材の一例であり詳しくは後述する）が張られることで、放光し得るようにされている。なお、上記内枠３は、１つの外枠２に対して単数または複数（本実施の形態では一例として１つ）配置される。
【００１３】
以下、上記天井点検口１を構成する各部材について詳細に説明する。
図５および図６に示すように、上記外枠２は、垂直の外枠ウェブ板２２と、この外枠ウェブ板２２の上下端に設けられた上下の外枠フランジ板２３，２４とから構成される。上の外枠フランジ板２３は、外枠ウェブ板２２の上端から内側に突出する。上の外枠フランジ板２３の上側は、取付用金具２７（図５参照）などを介して、天井Ｃの開口部Ｈに固定される。また、上の外枠フランジ板２３の下側は、その内端部に緩衝気密材２５が設けられて、内枠３の上端を受けるようにされている。一方、下の外枠フランジ板２４は、外枠ウェブ板２２の下端から内側および外側に突出する。下の外枠フランジ板２４のうち、外側に突出した部分２４ｏは開口部Ｈの縁を覆い、内側に突出した部分２４ｉは内枠３に接し得る。
【００１４】
上記内枠３は、垂直の内枠ウェブ板３２と、この内枠ウェブ板３２の下端に設けられた内枠フランジ板３４とから構成される。すなわち、上記内枠３は、横断面が逆Ｔ字形である。内枠フランジ板３４は、内枠ウェブ板３２の下端から内側および外側に突出する。内枠フランジ板３４のうち、外側に突出した部分３４ｏは外枠２に接し得、内側に突出した部分３４ｉは上側で光拡散シート４４が張られる。また、図５に示すように、内枠３のヒンジとして機能する辺３Ａには、その内枠フランジ板３４の外側に突出した部分３４ｏと、下の外枠フランジ板２４の内側に突出した部分２４ｉとにかけて、蝶番部材３５が設けられている。一方、図６に示すように、内枠３のヒンジとして機能する辺３Ａに対向する辺３Ｂには、その内枠フランジ板３４の外側に突出した部分３４ｏと、下の外枠フランジ板２４の内側に突出した部分２４ｉとにかけて、鍵部材３６（例えばコインロック）が設けられている。ところで、内枠フランジ板３４の内側に突出した部分３４ｉには、放光のための放光部４１が載置されている。言い換えれば、内枠３は、上記放光部４１を保持するとともに、当該放光部４１を固定しないものである。
【００１５】
上記放光部４１は、上記光拡散シート４４と、この光拡散シート４４を張るための押さえ部材４５と、上記押さえ部材４５に固定されて上記光拡散シート４４の周縁部を押さえるアングル材４２（固定具の一例である）と、このアングル材４２を押さえ部材４５に固定するためのドリルねじ４６と、押さえ部材４５の上に接着されるクッション材４３とを有する。
【００１６】
上記光拡散シート４４は、透光性、柔軟性、可撓性および不燃性に優れたシート材が用いられ、例えば、ユニチカ社製のティンクル（登録商標）である。
上記押さえ部材４５は、外枠２および内枠３と同様に、矩形状の枠状体に形成されている。この枠状体の押さえ部材４５は、その下端内側に光拡散シート４４が張られるものである。また、上記押さえ部材４５は、内枠フランジ板３４の内側に突出した部分３４ｉに載置される垂直の脚部５４と、この脚部５４の上に形成された溝部５７と、溝部５７の上に設けられた外側垂直部５２ｏと、この外側垂直部５２ｏより内側に設けられた内側垂直部５２ｉと、外側垂直部５２ｏおよび内側垂直部５２ｉの両上部を接続する水平部５３と、内側垂直部５２ｉの下端と脚部５４の上端とを接続する傾斜部５５とから構成される。なお、上記溝部５７は、押さえ部材４５の長手方向に沿って形成されるので、押さえ部材４５と同様に枠状体となる。また、上記溝部５７は、外側に開口しており、言い換えれば、上記枠状体の押さえ部材４５の外周方向に形成されている。
【００１７】
上記アングル材４２は、横断面がＬ字形であり、Ｌ字形の横辺となる幅狭板４２ｎと、Ｌ字形の縦辺となる幅広板４２ｗとから構成される。上記幅狭板４２ｎは、押さえ部材４５の溝部５７に嵌め込まれる部分である。すなわち、上記幅狭板４２ｎは、上記光拡散シート４４が入れられた溝部５７に嵌め込まれることで、押さえ部材４５の内側で光拡散シート４４を張るものと言える。一方、上記幅広板４２ｗは、押さえ部材４５の外側垂直部５２ｏに固定される部分である。このため、上記幅広板４２ｗには、外側垂直部５２ｏにドリルねじ４６で固定されるためのねじ孔４２ｈが形成されている。
【００１８】
上記クッション材４３は、押さえ部材４５（正確には水平部５３）の長手方向に沿って接着されるので、押さえ部材４５と同様に枠状体となる。また、上記クッション材４３は、クッション性および耐久性に優れた素材が用いられ、例えば、日東電工社製のエプトシーラである。
【００１９】
ところで、上記放光部４１の上には、当該放光部４１の内側に虫が入らないように、上記クッション材４３の上に載置される虫除パネル６２（パネル材の一例である）と、この虫除パネル６２を押さえ部材４５の上で保持する保持材６３とが設けられる。
【００２０】
上記虫除パネル６２は、その周縁部で上記クッション材４３に受けられる。すなわち、上記虫除パネル６２は、上記クッション材４３を介して上記押さえ部材４５に載置されると言える。また、上記虫除パネル６２は、放光を妨げないためにも、透光性に優れたパネルが用いられ、例えば、ポリカーボネートのパネルである。
【００２１】
上記保持材６３は、上記虫除パネル６２の周縁部を上から押さえて保持する金具であり、内枠ウェブ板３２に固定される。なお、上記虫除パネル６２は、上から上記保持材６３で、下から上記クッション材４３で挟まれて保持されるが、この保持する力は、上記押さえ部材４５が変形しても、クッション材４３、虫除パネル６２および保持材６３を介して内枠３が変形しない程度にされている。
【００２２】
以下、上記天井点検口１の製造方法について説明する。
まず、上記押さえ部材４５の水平部５３の上にクッション材４３を接着させ、図７に示すように、光拡散シート４４の上に押さえ部材４５を載置する。そして、図８に示すように、光拡散シート４４の周縁部が溝部５７の開口および外側垂直部５２ｏの外側に位置するように、光拡散シート４４の周縁部をめくり上げる。その後、アングル材４２の幅狭板４２ｎを溝部５７に嵌め込んで、溝部５７に光拡散シート４４の周縁部を入れることにより、光拡散シート４４の周縁部がアングル材４２に押さえられて、光拡散シート４４が弛むことなく張られる。そして、ドリルねじ４６を幅広板４２ｗのねじ孔４２ｈに通し、アングル材４２を押さえ部材４５に固定することで、放光部４１が構成される。
【００２３】
次に、図９に示すように、枠状体の内枠３の内側に、放光部４１を載置する。具体的には、押さえ部材４５における脚部５４の下端と、内枠フランジ板３４の内側に突出した部分３４ｉにおける上側とが、光拡散シート４４を挟み込むようにする。
【００２４】
次に、図１０に示すように、クッション材４３の上に虫除パネル６２を載置し、この虫除パネル６２の周縁部を上から保持材６３で押さえるとともに、この保持材６３を内枠ウェブ板３２に固定する。そして、これら４１，６２，６３，３を外枠２に収めることで、天井点検口１が構成される。
【００２５】
このように、上記天井点検口１によると、押さえ部材４５が内枠３に固定されず載置されているだけなので、押さえ部材４５が光拡散シート４４の張力に負けても、図４に示すように、内枠３は内側に反らず、美観を維持することができる。また、光拡散シート４４を張るための押さえ部材４５が枠状体なので、光拡散シート４４が全周縁部で張力を与えられて、光拡散シート４４の皺寄りを防止することができる。
【００２６】
さらに、虫除パネル６２の全周縁部が枠状体の押さえ部材４５に載置されるので、虫の放光部４１への入り込みを防止することができる。
加えて、アングル材４２の幅狭板４２ｎを溝部５７に嵌め込むだけで光拡散シート４４が弛むことなく張られるので、高度な技量が要求されることなく、光拡散シート４４の皺寄りを防止することができる。
【００２７】
また、幅狭板４２ｎに直交する幅広板４２ｗが外側垂直部５２ｏに固定されるので、アングル材４２を押さえ部材４５に位置決めしてドリルねじ４６で固定する作業が容易となり、高度な技量が要求されることなく、光拡散シート４４の皺寄りを防止することができる。
【００２８】
ところで、上記実施の形態では、外枠２、内枠３および押さえ部材４５が矩形状として説明したが、これに限定されるものではなく、枠状体であればよい。
また、上記実施の形態では、溝部５７が押さえ部材４５の外周方向に形成されているとして説明したが、内周方向に形成されている（溝部５７が内側に開口している）ものであってもよい。
【００２９】
さらに、上記実施の形態では、点検口の一例として天井点検口１について説明したが、壁点検口など他の点検口であってもよい。また、内枠３の内側に張られるのは光拡散シート４４として説明したが、これに限定されるものではなく、シート状であればよい。
【符号の説明】
【００３０】
Ｃ    天井
Ｈ    開口部
Ｗ    天窓
１    天井点検口
２    外枠
３    内枠
２２    外枠ウェブ板
２３    上の外枠フランジ板
２４    下の外枠フランジ板
２５    緩衝気密材
３２    内枠ウェブ板
３４    内枠フランジ板
３５    蝶番部材
３６    鍵部材
４１    放光部
４２    アングル材
４２ｎ  幅狭板
４２ｗ  幅広板
４３    クッション材
４４    光拡散シート
４５    押さえ部材
５２ｏ  外側垂直部
５２ｉ  内側垂直部
５３    水平部
５４    脚部
５５    傾斜部
５７    溝部
【図１】
2015175198.tif 000003
【図２】
2015175198.tif 000004
【図３】
2015175198.tif 000005
【図４】
2015175198.tif 000006
【図５】
2015175198.tif 000007
【図６】
2015175198.tif 000008
【図７】
2015175198.tif 000009
【図８】
2015175198.tif 000010
【図９】
2015175198.tif 000011
【図１０】
2015175198.tif 000012
【図１１】
2015175198.tif 000013